(57)【要約】【課題】  この発明では、打楽器としてのビリンバウを元に、スポーツ観戦時などに誰もが用いることが出来る、全く新しい応援用具を提供する。【解決手段】  この発明の応援用具はおもちゃの旗であって、片手で持って振ることができる大きさの湾曲させた竿１に、この竿１の湾曲方向の内側にシート状体としての布２を接着して取り付け、竿１の一部をハンドル部である柄部１１として割り当てたものである。柄部１１を片手で持って振ることによりおもちゃの手旗として使用することが出来る。また家に持ち帰ればペナントのようにして飾ることが出来る。【選択図】            図１
2018077290.tif 000002
【特許請求の範囲】
【請求項１】
片手で持って振ることができる大きさの湾曲した竿と、この竿の湾曲方向の内側に設けられたシート状体と、ハンドル部とから成る応援用具。
【請求項２】
片手で持って振ることができる大きさの竿と、この竿を湾曲させるための湾曲手段と、この竿の湾曲方向の内側に設けられたシート状体と、ハンドル部とから成る応援用具。
【請求項３】
前記ハンドル部が扁平に形成されている、請求項１または請求項２に記載の応援用具。
【請求項４】
前記ハンドル部が前記竿よりも太めに形成されている、請求項１または請求項２に記載の応援用具。
【請求項５】
前記ハンドル部に滑り止めが設けられている、請求項１または請求項２に記載の応援用具。
【請求項６】
前記竿に更に弦が取り付けられている、請求項１または請求項２に記載の応援用具。
【請求項７】
更に笛が取り付けられている、請求項１または請求項２に記載の応援用具。
【発明の詳細な説明】
【技術分野】
【０００１】
この発明は、スポーツ観戦時などに用いる応援用具に関するものである。更に詳しくはこの全体はハンドルのあたりを片手で持って振ることができる大きさであり、手で持って振ることでフラッグがはためく気分を味わえるようにしたものである。
【背景技術】
【０００２】
スポーツ観戦時などに用いる応援用具として、膨らまし式のスティック状のバルーン、２個１組で叩き合わせて音を出すスティック、おもちゃのメガホン、大きな手の形をしたウェーブハンド、吹奏おもちゃのブブゼラ、ペン型のライトなどが用いられている。このように多くの応援用具がある中で、当発明者は、これまでになく興趣を催すようなものを提供したいと考えた。
【０００３】
今年はリオ五輪が開催されてブラジルの魅力ある豊かな文化が世界に紹介された。この一つに無形文化遺産のカポエイラ(capoeira)があった。当発明者はカポエイラが演じられる際に音楽は必須であり、楽器としてビリンバウ(berimbau)が用いられることを知った。ビリンバウは弓に弦を張った打楽器の一種であり石と棒とを上手に操って演奏されるが、なかなか乗りの良い音楽を奏でるものである。なおビリンバウで特許情報の検索を行ったが、単語として特開平０９−００６３３５号公報に登場するのみである。インターネットＷＷＷサイトのウィキペディア（商標）にはビリンバウの解説がある。
【先行技術文献】
【特許文献】
【０００４】
【特許文献１】特開平０９−００６３３５号公報
【非特許文献１】ウィキペディア（商標）のインターネットＷＷＷサイト＜ＵＲＬ：ｈｔｔｐｓ://ｊａ.ｗｉｋｉｐｅｄｉａ.ｏｒｇ/ｗｉｋｉ/ビリンバウ＞
【発明の概要】
【発明が解決しようとする課題】
【０００５】
この発明は、打楽器としてのビリンバウをそのまま使用するのではなく、スポーツ観戦時などに誰もが用いることが出来る応援用具として生まれ変わらせることを課題とする。
【課題を解決するための手段】
【０００６】
そこで当発明者はこのビリンバウをヒントに、応援用具としてのおもちゃの手旗を構成したら良いのではないかとの着想を得た。
【０００７】
すなわち上記課題は、片手で持って振ることができる大きさの湾曲した竿と、この竿の湾曲方向の内側に設けられたシート状体と、ハンドル部とから成る応援用具とすることにより達成される。竿を湾曲させることで、竿の湾曲方向の内側に竿による囲い込みの空間を生じさせて、ここにシート状体を取り付けるようにするのである。いわゆる弓は緩やかな湾曲状を呈しており、ここに張ることの出来るシート状体の面積はそれほど大きくはない。しかしながら例えば英文字のＵのように竿の湾曲を深くしたり竿の両端を非対称にするなどしてシート状体の面積を増加させることが出来る。もちろんシート状体を竿の上記囲い込みの空間にきっちりと収めなくてはいけないと言うことはないので、この方向でもシート状体の面積の増加を行うことが可能である。この場合シート状体の、上記空間より外に出ている部分はより自由に動くことが出来る。なお竿の湾曲の他の形態として例えば英文字のＳを上げる。このものは上記囲い込みの空間が異なる２方向に向いていることになる。すなわち湾曲する竿のデザインはビリンバウの形状から離れて自由に行って良い。このような構造のものは従来の手旗にはなく、従来の手旗の竿の形状はほぼ真っ直ぐだったのである。この発明のおもちゃの手旗は、ハンドル部を片手で持って振ることによってフラッグがはためく気分を味わうことが出来、正にスポーツの応援用具などとして最適なものである。なおこのおもちゃの手旗は、家に持ち帰ればペナントのように飾れるので、記念にもなる。
【０００８】
シート状体は、このシート状体の竿の側を以て竿に取り付けられる。湾曲した竿と言う場合、初めから湾曲した形状に固定したものを用いる場合と、屈曲可能な素材からなるものを用いて後から湾曲させる場合とがある。前者は例えば弓のように湾曲して形成された竿に、この弓状の内側の囲い込みの空間に合うような形状のシート状体を取り付けるようにする。
【０００９】
後者は例えば、（１）屈曲可能な直線状態のプラスチックの棒やピアノ線を竿として、これを弓状に湾曲させた状態のままこの弓状の内側の囲い込みの空間に合うような形状のシート状体を取り付けることで湾曲した状態を固定する。また（２）屈曲可能な竿に弦を張って弓状に湾曲させた状態を固定する。また（３）屈曲可能な竿の一端部にシート状体の一端部を固定しておき、シート状体を展開させるべくシート状体の他端部を竿の他端部に向けて移動させて、シート状体の他端部を竿の他端部に固定することで竿を湾曲させた状態に固定するようにする。すると後者に於ける（１）のシート状体、（２）の弦、（３）の竿の他端部に固定するシート状体の他端部は、請求項２の構成要素となっている竿を湾曲させるための湾曲手段であると言うことになる。なお（１）〜（３）では、竿に湾曲状態からの復元力があるものを用いることを前提に説明したが、復元力のないものを用いる場合もあり得る。何れにせよ後者に於いて、１本の竿の湾曲方向の内側に囲い込みの空間が形成されてここにシート状体が設けられ、その全体はハンドル部を片手で持って振ることができる大きさであり、手で持って振ることでフラッグがはためく気分を味わうことが出来るようになっている。
【００１０】
さて竿の素材に何を用いるかに付いては自由に設計して良い。例えば木材や鋼材や合成樹脂材から成るものを上げる。竿は硬直したものであっても良いし、撓るものであっても良い。竿が撓るものである場合には竿に張られているシート状体も竿の動きに追随する。シート状体の素材に付いては例えば合成樹脂シートや布や紙を上げる。シート状体を竿に設けるに当たっては、例えば接着剤を用いたり、シート状体に竿を通すための袋部を形成してこの袋部に竿を通すようにしたり、竿とシート状体とをインサート成型により一体化したりするなどと自由な設計が可能である。インサート成型によれば、竿に後からシート状体を装着する場合に比べて、強度や耐久性のみならずコストメリットが高いと言う利点がある。なおシート状体に更に張りを持たせたいのであれば、ヨットの帆のようにバテンをシート状体に取り付けたり、シート状体の竿に取り付けられた側ではない開放側の縁部を折り重ねて厚みを付けたり、この部位に補強の線状体を入れたりなどすれば良い。
【００１１】
ハンドル部に付いては、竿の一部をハンドルに割り当てるように設計することで実現することが出来る。日本の団扇は、柄ともなる竹棒を幾条にも切り裂いて出来た骨を放射状に形成して、ここに紙や布を貼ることで構成されている。その柄は篠竹の円筒であったり孟宗竹を細長く切って成る僅かに湾曲するも殆ど扁平状のものであったりする。また竹を用いるのではなく合成樹脂成型によって団扇の柄や骨を構成することが出来る。このように日本の団扇の構造も参考になる。なおハンドル部が扁平状であると、竿が掌の中で回転しにくく、片手に持つ手旗としての使い勝手が良い。
【００１２】
また竿の一部を太めに形成することでその部分をハンドル部とすることが出来る。また竿の一部を均一に太くするのではなく、竿の周囲に凹凸を設けることによってもその部分をハンドル部にし得る。凹凸の例として、たくさんの突起を散らすように設けたり、何本ものリブを設けたりしたものを上げる。たくさんの突起や複数本のリブなどのような凹凸は滑り止めともなる。また竿の一部に後から発泡樹脂製の滑り止め具などを被せるようにしても良い。これによっても竿の一部を太めに形成することが可能である。あるいは別途作成したハンドルを竿に取り付けることでもハンドル部を構成し得る。なお滑り止めがあるものに付いて、湾曲させた竿を有する手旗としてのバランスや振って遊ぶものであることを勘案すると、ハンドル部が滑りにくいと言うのは大きな効果である。
【００１３】
そもそもこの発明はビリンバウに触発されて行ったものである。そこで更に、竿に音を発するための弦を取り付けてみた。するとこの弦を弾いて遊ぶことが出来る。おもちゃの手旗はまたおもちゃの弦楽器ともなる。なおこの弦は、シート状体の上記開放側の縁部から離して張る、シート状体から浮かせるようにして張る、シート状体に付けて張るなどの取り付け方があり、それによって発する音の質が変わることが分かる。
【００１４】
また更に竿などに笛を取り付けてみた。するとこの笛をブブゼラのように吹いて遊ぶことが出来る。おもちゃの手旗はまたおもちゃの吹奏楽器ともなる。笛は竿の端部に仕込むことも、別途作成したハンドルを備えている場合にはハンドルに仕込むことも、また紐で竿から提げるようにすることなども可能である。
【発明の効果】
【００１５】
この発明の手旗の特徴は、湾曲した竿と、この竿の湾曲方向の内側に設けられたシート状体と、ハンドル部とから成る点にある。これによりスポーツ観戦時などに誰もが片手で持って振ることが出来るような、興趣ある新しい応援用具としてのおもちゃの手旗を提供することが出来た。なお手に持って応援する手旗の柄を曲げると言うような発想は、この発明の課題があってこそのものである。
【図面の簡単な説明】
【００１６】
【図１】実施例１の説明図である。
【図２】実施例２の説明図である。
【図３】実施例３の説明図である。
【図４】実施例４の説明図である。
【図５】実施例５の説明図である。
【図６】実施例５の布７の側からスティック６を見た説明図である。
【発明を実施するための形態】
【００１７】
以下では５種類の実施例に付いて説明するが、この発明はこれ等の実施例に限定されるものではない。なおシート状体に付いてはどの実施例でも布（符号２、２０、５、７）を用いた場合を説明するが、布に限定されるものではない。
【実施例１】
【００１８】
図１に示すように実施例１の手旗は、弓形状に湾曲して固定させた１本の木製の竿１の湾曲方向の内側に、柄部１１となる部位を除いた竿１が作る囲い込みの空間の形状となるように裁断した布２を、接着剤によって取り付けたものである。この部位が図１の接着部１０である。竿１の一部をハンドル部すなわち柄部１１に割り当てている。この竿１は、湾曲状態が固定してはいるが撓りもある。
【００１９】
実施例１は柄部１１を片手で持って振ることにより、応援用具としてのおもちゃの手旗として使用することが出来る。また家に持ち帰ればペナントのようにして飾ることが可能である。
【実施例２】
【００２０】
図２に示すように実施例２の手旗は、弾力性のある木製の竿１２に、先ず柄部１４となる部位を除いて弦３を張って弓形状に湾曲させる。こうして出来た囲い込みの空間に布２を、布２の竿１２の側を以て、接着部１３で竿１２に取り付ける。この布２の弦３に近い側は開放端となっている。なお弦３は竿１２の湾曲手段でもある。また弦３は図２の鎖線の位置に、布２と重なるように張る設計もある。
【００２１】
なお実施例２の手旗は弦３を備えてビリンバウを模したおもちゃとしているので、図２のように瓢箪を模した中空の球飾り３０を柄部１４の上の竿１２の湾曲方向の外側に紐で括り付けた。また柄部１４の下端部におもちゃの笛３１を取り付けた。なお図示はしないが竿１２の上部にリボン飾りを取り付けるようにしても、ビリンバウの雰囲気を出すことが出来る。
【００２２】
従って実施例２の手旗は、柄部１４を片手で持ち振って応援することが出来るばかりでなく、弦３を弾いたり笛３１を吹いたりするなど効果音を立てつつの応援が可能である。
【実施例３】
【００２３】
図３に示すように実施例３の手旗は、弾力性のある木製の竿１５と、袋部２１のある布２０との組み合わせに成る。布２０の竿１５の側には竿１５を通すための袋部２１を設けており、この袋部２１の下部には後述のネジ２３を挿して止めるための孔を開けており、ここに両面ハトメ２２を取り付けた。またネジ２３を竿１５に捩じ込めるように、竿１５にネジ穴１７を掘っている。
【００２４】
弾力性のある木製の竿１５に布２０を、竿１５に袋部２１を被せるようにして取り付けて、両面ハトメ２２がネジ穴１７に位置する所まで布２０を引き下げて竿１５を弓形状に湾曲させ、ネジ２３を両面ハトメ２２に挿してネジ穴１７に捩じ込むようにする。これによって図３のように竿１５を湾曲させて、布２０を竿１５の湾曲方向の内側に取り付けるのである。これ等の袋部２１や両面ハトメ２２やネジ２３やネジ穴１７から構成されたものは竿１５の湾曲手段である。なお布２０は袋部２１の反対側と下側とが開放端になっている。また竿１５のネジ穴１７より下側は柄部１６となるように構成されているが、ここにウレタンフォームの滑り止め１８を被せるようにする。
【００２５】
実施例３の手旗によれば、柄部１６の滑り止め１８を片手で握り振って応援することが出来る。また応援が終わるなどして、ネジ２３を緩めて両面ハトメ２２から外すようにすれば、テンションが掛からなくなった竿１５を元の直線状の棒に戻すことが可能である。何れにせよ使用時には竿１５は屈曲した状態で固定されていることに変わりはない。
【実施例４】
【００２６】
さてこれまでに上げた実施例１〜３では何れも、布は竿の一方向にのみ張られていた。これに対して実施例４では、囲い込みの空間が異なる２方向に向くように構成している点に特徴がある。すなわち合成樹脂成型に成る略Ｓ字形状のＳ字枠４の２つある内周に各々一段低い段部４０を設けておき、この段部に各々布５をその縁部で接着して成る。各々の布５の一縁部はＳ字枠４からはみ出た開放端部５０とした。
【００２７】
なお柄部４２をＳ字枠４の下側の中ほどに接続部４１を以て接続している。柄部４２は実施例１〜３とは異なり別途用意したものである。このように構成されているため、柄部４２を片手で持ち振って応援することが出来る。
【実施例５】
【００２８】
次に図５および図６に示すように実施例５はおもちゃのホッケースティックを模したものであり、合成樹脂製のスティック６と布７とをインサート成型によって一体に成型しておもちゃの手旗としている。このものは柄部６１となる部位を除き、スティック６のデザイン的に湾曲しているその湾曲方向の内側の、スティック６が作る囲い込みの空間の形状をした布７が、インサート部７０にてスティック６に両面で接着している。このようにして成型されたスティック６には可撓性がある。
【００２９】
なお図６は布７の開放端の側からスティック６を見たものであり、スティック６は扁平で細くはあるが上述した日本の団扇のように普通に持てる。しかしながら更にグリップ感を高めるべく、柄部６１となる部位は段部６０から立ち上げて厚みを増すと共に突起６２を設けて滑りにくくしている。
【００３０】
柄部６１のグリップ感は良好であり、ここを片手で握って振るなどして、応援用具としてのおもちゃの手旗として使用することが可能である。また家に持ち帰りペナントのようにして飾ることが出来る。なお実施例１〜４と同様、従来のおもちゃの旗をはためかせた時と比べてはためき感が少ないと感じる向きもあるかとは思うが、その分コンパクトでもある。
【産業上の利用可能性】
【００３１】
この発明の応援用具としてのおもちゃの手旗は、竿やシート状体に宣伝を入れることが出来る。従って宣伝広告用具としての用途もある。
【符号の説明】
【００３２】
１：竿
１０：接着部
１１：柄部
１２：竿
１３：接着部
１４：柄部
１５：竿
１６：柄部
１７：ネジ穴
１８：滑り止め
２：布
２０：布
２１：袋部
２２：両面ハトメ
２３：ネジ
３：弦
３０：球飾り
３１：笛
４：Ｓ字枠
４０：段部
４１：接続部
４２：柄部
５：布
５０：開放端部
６：スティック
６０：段部
６１：柄部
６２：突起
７：布
７０：インサート部
【図１】
2018077290.tif 000003
【図２】
2018077290.tif 000004
【図３】
2018077290.tif 000005
【図４】
2018077290.tif 000006
【図５】
2018077290.tif 000007
【図６】
2018077290.tif 000008